(57)【要約】      （修正有）【課題】夜間などに照明を消した状態で、火災初期の段階で多い燻焼燃焼で立ち上がるごく微量の煙をカメラで撮像して火災を検知可能とする。【解決手段】監視領域は検煙空間１８を構成し、赤外線照明器１２から検煙空間１８に赤外線光を照射し、検煙空間１８に煙２４が存在した場合の赤外線光の照射による煙散乱光像を監視カメラ１０で撮像する。画像処理装置１２は、監視カメラ１０により撮像した煙散乱光像から煙稜線を抽出し、煙稜線の直線成分の煙による特徴的な所定の時系列変化を検知して火災を判断する。【選択図】図１
2015052824.tif 000002
【特許請求の範囲】
【請求項１】
監視領域の画像を撮像する撮像手段と、
前記撮像手段に略対向して配置され、前記撮像手段を除く監視領域に所定波長の赤外線光を照射し、前記撮像手段から見た監視領域を背光照明する照明手段と、
前記撮像手段で撮像した画像から稜線を抽出する稜線抽出手段と、
前記稜線抽出手段で抽出した稜線の中から煙による特徴的な所定の稜線を検知して火災を判断する火災判断手段と、
を設けたことを特徴とする火災検知装置。
【請求項２】
請求項１記載の火災検知装置に於いて、前記撮像手段は、前記監視領域に煙が存在した場合に、前記照明手段の背光照明による煙の散乱光画像を撮像することを特徴とする火災検知装置。
【請求項３】
請求項１記載の火災検知装置に於いて、前記照明手段の照明光軸に交差する前記撮像手段の撮像光軸が所定の立体構成角となるように、前記照明手段及び前記撮像手段を前記監視領域に配置したことを特徴とする火災検知装置。
【請求項４】
請求項１記載の火災検知装置に於いて、前記稜線抽出手段は、前記撮像手段で撮像した画像に含まれる照明領域を除く画像を切り出して稜線を抽出することを特徴とする火災検知装置。
【請求項５】
請求項１記載の火災検知装置に於いて、前記撮像手段により撮像した画像に、前記照明手段の照明領域が入らないように、前記照明手段及び前記撮像手段を前記監視領域に配置したことを特徴とする火災検知装置。
【請求項６】
請求項１記載の火災検知装置に於いて、
前記稜線抽出手段は、前記撮像手段で撮像した画像にエッジ強調処理を施して稜線を抽出し、
前記火災判断手段は、
前記稜線抽出手段で抽出した稜線の画像を複数の画像領域に分割し、前記画像領域毎に稜線の直線成分を抽出する直線成分抽出手段と、
前記画像領域毎に、前記直線成分抽出手段で抽出して直線成分の傾きと発生頻度の時系列変化を求める時系列変化検出手段と、
前記時系列変化検出手段で検出した直線成分の傾きと発生頻度の時系列変化の中から煙による特徴的な直線成分の傾きと発生累積頻度となる所定の時系列変化を検知した場合に火災と判断する火災検知手段と、
を備えたことを特徴とする火災検知装置。
【請求項７】
請求項６記載の火災検知装置に於いて、前記火災検知手段は、傾きが一定で発生頻度の異なる直線成分の時系列変化を１又は複数検知した場合に、火災と判断することを特徴とする火災検知装置。
【請求項８】
撮像手段により監視領域の画像を撮像し、
前記撮像手段に略対向して配置された照明手段により、前記撮像手段を除く監視領域に所定波長の赤外線光を照射し、前記撮像手段から見た監視領域を背光照明、
前記撮像手段で撮像した画像から稜線を稜線抽出手段により抽出し、
前記稜線抽出手段で抽出した稜線の中から火災判断手段により煙による特徴的な所定の稜線を検知して火災を判断することを特徴とする火災検知方法。
【請求項９】
請求項８記載の火災検知方法に於いて、前記撮像手段は、前記監視領域に煙が存在した場合に、前記照明手段の背光照明による煙の散乱光画像を撮像することを特徴とする火災検知方法。
【請求項１０】
請求項８記載の火災検知方法に於いて、前記照明手段の照明光軸に交差する前記撮像手段の撮像光軸が所定の立体構成角となるように、前記照明手段及び前記撮像手段を前記監視領域に配置したことを特徴とする火災検知方法。
【請求項１１】
請求項８記載の火災検知方法に於いて、前記稜線抽出手段は、前記撮像手段で撮像した画像に含まれる照明領域を除く画像を切り出して稜線を抽出することを特徴とする火災検知方法。
【請求項１２】
請求項８記載の火災検知方法に於いて、前記撮像手段により撮像した画像に、前記照明手段の照明領域が入らないように、前記照明手段及び前記撮像手段を前記監視領域に配置したことを特徴とする火災検知方法。
【請求項１３】
請求項８記載の火災検知装置に於いて、
前記撮像手段で撮像した画像に前記稜線抽出手段によりエッジ強調処理を施して稜線を抽出し、
前記火災判断手段は、
前記稜線抽出手段で抽出した稜線の画像を複数の画像領域に分割し、前記画像領域毎に稜線の直線成分を抽出し、
前記画像領域毎に、前記直線成分抽出手段で抽出して直線成分の傾きと発生頻度の時系列変化を求め、
前記時系列変化検出手段で検出した直線成分の傾きと発生頻度の時系列変化の中から煙による特徴的な直線成分の傾きと発生累積頻度となる所定の時系列変化を検知した場合に火災と判断する、
ことを特徴とする火災検知方法。
【請求項１４】
請求項１３記載の火災検知方法に於いて、前記火災検知手段は、傾きが一定で発生頻度の異なる直線成分の時系列変化を１又は複数検知した場合に、火災と判断することを特徴とする火災検知方法。
【発明の詳細な説明】
【技術分野】
【０００１】
本発明は、監視領域を照明しながらカメラで撮像した画像から火災初期における煙を検知する火災検知装置及び火災検知方法に関する。
【背景技術】
【０００２】
従来、監視カメラで撮像した監視領域の画像に対し画像処理を施すことにより、火災を検知するようにした様々な装置やシステムが提案されている。
【０００３】
このような火災検知装置にあっては、火災発生に対する初期消火や避難誘導の観点から火災の早期発見が重要である。
【０００４】
このため従来装置（特許文献１）にあっては、画像から火災に伴う煙により起きる現象として、透過率又はコントラストの低下、輝度値の特定値への収束、輝度分布範囲が狭まって輝度の分散の低下、煙による輝度の平均値の変化、エッジの総和量の低下、低周波帯域の強度増加を導出し、これらを総合的に判断して煙の検出を可能としている。
【先行技術文献】
【特許文献】
【０００５】
【特許文献１】特開２００８−０４６９１６号公報
【特許文献２】特開平７−２４５７５７号公報
【特許文献３】特開２０１０−２３８０２８号公報
【発明の概要】
【発明が解決しようとする課題】
【０００６】
ところで、火災初期の段階で多い燻焼燃焼では、ごく微量の煙が立ち上がり、時間の経過と共に煙の量が増し、最終的には煙層が天井面に沿って発生し、従来の煙感知器は、天井面に発生した煙層を検知するようにしている。
【０００７】
このように、ごく微量の煙が立ち上がる火災初期の段階で火災を検知することが重要になる。従来の画像に対し画像処理を施して煙を検知する装置にあっては、例えば立ち立ち上る煙の動き（流動）を検知するようにしているが、この流動検知のためには十分な量の煙が立ち昇る段階にならないと検知することが困難であり、細い筋のようになってごく微量の煙が立ち上がる火災の初期で検知することはできないという問題があった。
【０００８】
この問題を解決するため本願出願人にあっては、監視カメラにより撮像した監視領域の画像から、煙により発生する稜線の直線成分を抽出し、その傾きと発生頻度について時系列での変化を求め、煙による特徴的な変化を検知することで、火災の初期の段階で多い燻焼燃焼により発生するごく微量の煙の立ち上りを検知して火災を判断する火災検知装置を提案している（特願２０１３−１０１８８３）。
【０００９】
しかしながら、就寝などに伴い監視領域となる部屋の明かりを消した場合、監視カメラにより撮像する監視領域の画像が暗くなり、煙画像から火災を判断する機能が失われる問題がある。
【００１０】
この問題を解決するめには夜間などに照明を消灯せずに点けたままとすればよいが、使用していない部屋などで明かりをつけたままにするようなことは、現実的な解決にはならない。
【００１１】
そこで、照明装置を完全に消灯せずに、例えば豆電球のようなワット数の小さい照明装置を点灯し、このままでは明るさが不足することから、監視カメラを高感度に切替えて煙画像を撮像するような方法が考えられる。しかし、本願出願人が提案している火災初期の段階で多い燻焼燃焼で立ち上がるごく微量の煙をカメラで撮像して火災を検知する場合には、明るさが大幅に不足し、ごく微量の煙をカメラで撮像することができず、暗い中では、火災検知機能が失われてしまう問題がある。
【００１２】
本発明は、夜間などに照明を消した状態で、火災初期の段階で多い燻焼燃焼で立ち上がるごく微量の煙をカメラで撮像して火災を検知可能とする火災検知装置を提供することを目的とする。
【課題を解決するための手段】
【００１３】
（装置）
本発明は、火災検知装置に於いて、
監視領域の画像を撮像する撮像手段と、
撮像手段に略対向して配置され、撮像手段を除く監視領域に所定波長の赤外線光を照射し、撮像手段から見た監視領域を背光照明する照明手段と、
撮像手段で撮像した画像から稜線を抽出する稜線抽出手段と、
稜線抽出手段で抽出した稜線の中から煙による特徴的な所定の稜線を検知して火災を判断する火災判断手段と、
を設けたことを特徴とする。
【００１４】
（背光照明による煙散乱光像）
撮像手段は、監視領域に煙が存在した場合に、照明手段の背光照明による煙の散乱光画像を撮像する。
【００１５】
（照明光軸と撮像光軸の立体構成角）
照明手段の照明光軸に交差する撮像手段の撮像光軸が所定の立体構成角となるように、照明手段及び撮像手段を監視領域に配置する。
【００１６】
（照明領域を除く画像切出し）
稜線抽出手段は、撮像手段で撮像した画像に含まれる照明領域を除く画像を切り出して稜線を抽出する。
【００１７】
（照明領域を含まない画像撮像）
撮像手段により撮像した画像に、照明手段の照明領域が入らないように、照明手段及び撮像手段を検煙空間に配置する。
【００１８】
（火災検知の詳細）
稜線抽出手段は、撮像手段で撮像した画像にエッジ強調処理を施して稜線を抽出し、
火災判断手段は、
稜線抽出手段で抽出した稜線の画像を複数の画像領域に分割し、画像領域毎に稜線の直線成分を抽出する直線成分抽出手段と、
画像領域毎に、直線成分抽出手段で抽出して直線成分の傾きと発生頻度の時系列変化を求める時系列変化検出手段と、
時系列変化検出手段で検出した直線成分の傾きと発生頻度の時系列変化の中から煙による特徴的な直線成分の傾きと発生累積頻度となる所定の時系列変化を検知した場合に火災と判断する火災判断手段と、
を備える。
【００１９】
（火災判断）
火災判断手段は、傾きが一定で発生頻度の異なる直線成分の時系列変化を１又は複数検知した場合に、火災と判断する。
【００２０】
（方法）
本発明は、火災検知方法に於いて、
撮像手段により監視領域の画像を撮像し、
撮像手段に略対向して配置された照明手段により、撮像手段を除く監視領域に所定波長の赤外線光を照射し、撮像手段から見た監視領域を背光照明し、
撮像手段で撮像した画像から稜線を稜線抽出手段により抽出し、
稜線抽出手段で抽出した稜線の中から火災判断手段により煙による特徴的な所定の稜線を検知して火災を判断することを特徴とする。
【００２１】
本発明の火災検知方法による他の特徴は、前述した火災検知装置の場合と基本的に同じになることから、その説明を省略する。
【発明の効果】
【００２２】
（基本的な効果）
本発明の火災検知装置及び火災検知方法によれば、撮像手段に対向して配置した照明手段により所定波長の赤外線光を照射して監視領域を撮像手段から見て背光照明し、撮像部により撮像した監視領域の画像から、煙により発生する稜線の直線成分を抽出し、その傾きと発生頻度について時系列での変化を求め、煙による特徴的な時系列変化を検知するようにしたため、夜間の就寝などに伴い監視領域となる部屋の照明を消した暗い状態であっても、赤外線光の照射による背光照明で監視領域の鮮明な画像を撮像手段で撮像することができ、暗い中であっても、火災の初期の段階で多い燻焼燃焼により発生するごく微量の煙の立ち上りを確実に検知し、火災を早期に判断して報知することを可能とする。
【００２３】
（背光照明による煙散乱光像による効果）
また、撮像手段は、監視領域に煙が存在した場合に、照明手段の背光照明による煙の散乱光画像を撮像するようにしたため、火災初期の段階で多い燻焼燃焼で立ち上がるごく微量の煙であっても、立ち上がる微量の煙に撮像手段の反対側から照明手段により赤外線光を照射して背光照明することで、赤外線光が煙粒子に当って散乱光を発生し、これを撮像手段で撮像すると、暗闇の中に、煙の散乱光画像が明るく浮かび上がるように見える煙画像を撮像することができる。
【００２４】
これは、監視領域を検煙空間と看做し、ここに照明手段を光源とし、撮像手段を受光部として両者の光軸が所定の立体構成角をもつように配置することで散乱光式検煙構造を構成しており、これによりごく微量の煙であっても、十分な輝度をもつ散乱光による煙画像として撮像することを可能とし、その稜線画像の抽出に基づいて確実に火災を検知可能とする。
【００２５】
（照明領域を除外した画像処理）
また、撮像手段により撮像した画像から照明領域を除く領域を切り出したり、照明領域を含まない画像を撮像することで、照明手段による赤外線光が当って照明されている背景画像を処理対象から除外し、背景が暗闇となる検煙空間の部分のみを撮像することで、暗闇の中に背光照明による散乱光の発生で鮮明に浮き上がる微弱な煙の筋を確実に捕らえて火災を検知可能とする。
【図面の簡単な説明】
【００２６】
【図１】本発明の火災検知装置を設置した監視領域を示した説明図
【図２】監視領域の平面と対角方向の立面を示した説明図
【図３】明るい状態で撮像した監視領域の画像を示した説明図
【図４】ごく微量の煙が立ち上がる状態をモデル化して示した説明図
【図５】画像処理装置の機能構成の概略を示したブロック図
【図６】赤外線照明器により背光照明した暗い状態で撮像した監視領域の画像と照明領域を除いて切り出した画像を示した説明図
【図７】画像の領域分割を示した説明図
【図８】ごく微量の煙が立ち上がる状態の時間変化を画像処理の対象とする領域を特定して示した説明図
【図９】ゴミ入れの直上の領域Ａ１の直線成分の時系列変化を示した説明図
【図１０】図９の直線成分の傾きと発生頻度を表したベクトルの時系列変化を示した説明図
【図１１】図９の領域Ａ１の上となる領域Ａ２の直線成分の時系列変化を示した説明図
【図１２】図１１の直線成分の傾きと発生頻度を表したベクトルの時系列変化を示した説明図
【図１３】明るい状態で画像処理の対象とする領域を特定して示した説明図
【図１４】背景となる領域Ａ３の直線成分の時系列変化を示した説明図
【図１５】図１４の直線成分の傾きと発生頻度を表したベクトルの時系列変化を示した説明図
【図１６】図５の画像処理装置の動作を示したフローチャート
【図１７】監視領域における監視カメラと赤外線照明器の他の配置を示した説明図
【図１８】撮像画面に照明領域が入らないようにする監視カメラと赤外線照明器の配置を示した明図
【図１９】照明光軸と撮像光軸を交差しないようにする監視カメラと赤外線照明器の配置を示した説明図
【発明を実施するための形態】
【００２７】
［火災検知装置の概要］
図１は本発明による火災検知装置を設置した監視領域を透視して示した説明図であり、図２（Ａ）は監視領域を平面で示し、図２（Ｂ）は監視領域を対角線上の立面で示し、更に図３に明るい状態で撮像した画面を示す。
【００２８】
図１に示すように、監視領域１８には撮像手段として機能する監視カメラ１０がと照明手段として機能する赤外線照明器１２を設置し、監視領域１８が明るく赤外線照明器１２を消灯している場合には、図３に示す監視領域の画像３０を監視カメラ１０で撮像している。
【００２９】
監視カメラ１０は、上下、左右及び前後に仕切られた監視領域（監視空間）の所定のコーナ上部に設置し、その撮像光軸１０ａを床面の対角線１５上のＱ点に向うように斜め下向きに設定して監視領域を撮像可能としている。
【００３０】
赤外線照明器１２は、監視カメラ１０に対向する対角線方向のコーナ上部に配置し、その照明光軸１２ａを床面の対角線１５上のＲ点に向うように斜め下向きに設定し、監視カメラ１０を除く監視領域１８に所定波長の赤外線光、例えば波長８２０ナノメートル又は波長９４０ナノメートルの赤外線光を照射し、監視カメラ１０から見て監視領域１８を背光照明している。
【００３１】
赤外線照明器１２は、波長８２０ナノメートル又は波長９４０ナノメートルの赤外線光を照射するため、マイクロ屈折レンズを備えた複数の赤外線ＬＥＤをマトリクス状に配置し、例えば照明角βは６０°〜１２０°の範囲で選択でき、照明可能距離は例えば６０〜３５メートルを確保可能としている。
【００３２】
監視カメラ１０は可視光の波長範囲で撮像感度を有すると共に、赤外線照明器１２による波長８２０ナノメートル又は波長９４０ナノメートルの赤外線光波長を含む波長範囲に撮像感度を有する撮像素子を使用している。
【００３３】
監視カメラ１０と赤外線照明器１２の配置の詳細は、図２（Ａ）の監視領域平面に示すように、対角方向に対向するコーナ上部に監視カメラ１０と赤外線照明器１２を配置し、また図２（Ｂ）の対角線上の立面に示すように、監視カメラ１０の撮像光軸１０ａを斜め下向きで例えば４５°方向に設定し、これに対向して配置した赤外線照明器１２の照明光軸１２ａを斜め下向きで例えば４５°方向に設定し、撮像光軸１０ａと照明光軸１２ａはＰ点で交差するように配置している。
【００３４】
監視カメラ１０は水平及び垂直方向で撮像角αをもち、また赤外線照明器１２は水平及び垂直方向で照明角βをもち、例えば撮像角α＝９０°、照明角β＝９０°とすると、監視領域１８を囲む上下、左右、及び前後の各面に対し、照明エリア２６と撮像エリア２８を形成している。
【００３５】
赤外線照明器１２は、夜間の就寝などに伴い監視領域１８となる部屋の照明を消して暗くなった場合に点灯し、監視カメラ１０から見た監視領域（監視空間）１８に存在する煙を含む物体を、赤外線光の照射により背光照明している。
【００３６】
赤外線照明器１２から照射した赤外線光は、監視カメラ１０に赤外線光が直接入射しないように、照明エリア２６を設定している。
【００３７】
また、監視カメラ１０で撮像した例えば図３に示す監視領域１８の画像３０の中に、赤外線光が当っている照明エリアを可能な限り少なくして、赤外線光が当っていない非照明エリアを最大限に確保するため、照明エリア２６と撮像エリア２８の重複を最小限とするように、監視カメラ１０と赤外線照明器１２を配置している。この理由は、後述する検出原理の中で説明する。
【００３８】
このように赤外線照明器１２により監視領域１８を背光照明した状態で、監視領域１８に置かれたごみ入れ等の火源２０の可燃物が何らかの原因で火災が発生する状況となり、火災の初期では図示のように火源２０から、ごく微量の煙２４が細い筋となって立ち上っている。また監視領域１８の壁面には構造や壁紙などにより、縦方向などに直線的な筋があり、図３に示す明るい状態で撮像した画像３０には、背景に筋が現れている。
【００３９】
監視カメラ１０は、監視領域１８に煙２４が存在した場合に、赤外線照明器１２の背光照明による煙２４の煙散乱光像を撮像し、監視カメラ１０で撮像した画像は伝送路を介して管理人室などに設置した画像処理装置１４に伝送され、画像処理によりごみ入れなどの火源２０から立ち上がっている微量の煙２４を検知して火災を判断し、火災検知信号を火災報知設備１６に出力して火災警報を出力する。
【００４０】
［検出原理］
（明るい監視領域での検出原理）
本発明により微量の煙を検知する原理を説明すると次のようになる。本発明は、図４（Ａ）に示す火源２０から立ち上がる微量の煙２４を画像処理により検知するが、この場合、初期の煙２４は、図４（Ｂ）に示すように、半透明かつ円筒状の物体が、揺らぎつつ火源より上方へ伸びて行く煙モデル２４ａとして考えられる。
【００４１】
この煙モデル２４ａは、図２（Ｃ）の濃度分布に示すように、中心部ほど煙濃度は濃く、周辺では相対的に薄くなるため、監視カメラ１０で撮像した画像においては背景に対し煙２４の中心が最も透過しない稜線を描くと考えられる。
【００４２】
そこで、画像に対しエッジ強調処理を適用して煙の稜線を抽出し、更に、画像を細かい領域に分割した後に、各々の領域に対してハフ変換を行って直線成分を抽出する。このようにして抽出した煙による直線成分は、時間の経過に伴い揺らぎつつ上方へ伸びて行く。これに対し背景に存在する直線成分は、時間が経過しても変化せず、定常的に存在している。このため抽出した直線成分の時系列での変化を捉えれば、煙による特徴的な時系列的変化を捉えることができる。
【００４３】
以上の結果を基に、所定周期毎に撮像した画像から抽出した各領域の直線成分の方向と累積頻度の時系列変化を求めてみると、煙による特徴的な時系列変化が得られ、火災の初期で細い筋となって立ち上る微量の煙２４の検知が可能となる。
【００４４】
（暗い監視領域での背光照明による検出原理）
一方、監視領域の照明が消えた暗い状態で、赤外線照明器１２を点灯して監視領域を背光照明した場合、監視カメラ１０から見た図４（Ａ）に示す火源２０から立ち上がる微量の煙２４は、赤外線照明器１２から照射した赤外線光を背後から受け、煙粒子に当った赤外線が散乱し、監視カメラ１０側に強い分布を持つ散乱光を発生する。
【００４５】
このため図４（Ｂ）に示すように、半透明かつ円筒状の煙粒子の集合体となる煙モデル２４ａは、背光照明による散乱光の発生により、暗い背景の中に、煙モデル２４ａが散乱光を発して明るく浮かび上がる煙散乱光像を生成する。
【００４６】
そこで、監視カメラ１０で撮像した煙散乱光像の画像に対しエッジ強調処理を適用して煙の稜線を抽出し、更に、画像を細かい領域に分割した後に、各々の領域に対してハフ変換を行って直線成分を抽出し、更に、所定周期毎に撮像した画像から抽出した各領域の直線成分の方向と累積頻度の時系列変化を求めてみると、煙による特徴的な時系列変化が得られ、火災の初期で細い筋となって立ち上る微量の煙２４の検知が可能となる。
【００４７】
ここで、監視カメラ１０で撮像した例えば図３に示す監視領域１８の画像３０の中に、赤外線光が当っている照明エリアを可能な限り少なくして、赤外線光が当っていない非照明エリアを最大限に確保している。
【００４８】
これは、監視カメラ１０で撮像した画像の中で、赤外線光があたって明るく映る照明エリアの中に煙の筋が立ち上がると、照明された背景と背光照明による煙散乱光像とのコントラストが低下し、煙の筋が見えにくくなる。これに対し非照明エリアの暗い中に煙の筋が立ち上がると、背景とのコントラストが高いため、背光照明による煙散乱光像が明るく浮き上がり、煙の筋が鮮明に見える。
【００４９】
従って、監視カメラ１０で撮像した例えば図３に示す監視領域１８の画像３０の中に、赤外線光が当っている照明エリアを可能な限り少なくして、赤外線光が当っていない非照明エリアを最大限に確保することが望ましい。また必要に応じて撮像した画像の中から非照明領域の画像を切り出して処理するといった手法や、撮像した画像の中に照明領域が映らないように監視カメラ１０と赤外線照明器１２を配置するといった手法が望ましい。
【００５０】
［火災検知装置］
（火災検知装置の機能構成）
図５は本発明による火災検知装置の機能構成の概略を示したブロック図である。図５に示すように、火災検知装置は、監視カメラ１０と画像処理装置１４で構成され、画像処理装置１４は、そのハードウェアとしてＣＰＵ、メモリ、各種の入出力ポート等を備えたコンピュータ回路等で構成され、ＣＰＵによるプログラムの実行により実現される機能として、制御部３２、稜線抽出手段として機能する稜線抽出部３８、火災判断手段として機能する火災判断部４０を備え、更に、火災判断部４０の機能として、直線成分抽出手段として機能する直線成分抽出部４２、時系列変化検出手段として機能する時系列変化検出部４４、及び火災検知手段として機能する火災検知部４６を設けている。
【００５１】
伝送部３６は監視カメラ１０で撮像した画像データを受信する適宜の伝送インタフェースが使用され、照明駆動部３４は赤外線照明器１２を点灯駆動する。
【００５２】
制御部３２は、監視カメラ１０、赤外線照明器１２及び画像処理装置１４に設けた各機能の全体的な制御を行う。
【００５３】
制御部３２による赤外線照明器１２の制御は、タイマに基づく制御、照度センサに基づく制御などを可能とする。制御部１２のタイマに基づく制御は、１日２４時間につき監視領域が暗くなる所定の時間帯を予め設定し、この時間帯に入ると照明駆動部３４に指示して赤外線照明器１２を点灯させ、この時間帯が終わると照明駆動部３４に指示して赤外線照明器１２を消灯させる。
【００５４】
また制御部１２の照度センサに基づく制御は、照度センサの明るさ検出値が所定値以下となったら照明駆動部３４に指示して赤外線照明器１２を点灯させ、その後、照度センサの明るさ検出値が所定値を越えたら照明駆動部３４に指示して赤外線照明器１２を消灯させる。
【００５５】
撮像手段として機能する監視カメラ１０は、制御部３２からの指示を受けて動作し、伝送部３６の伝送制御により動画像データとして、例えば毎秒３０フレームとなる監視領域の画像データを伝送し、画像処理装置１４に設けた図示しないメモリに記憶する。
【００５６】
稜線抽出部３８は、メモリに記憶したフレーム単位の画像から稜線を抽出して稜線画像を生成する。
【００５７】
ここで、稜線抽出部３８は、制御部３２の指示により赤外線照明器１２を点灯させて監視領域を背光照明している場合、メモリに記憶している画像につき、赤外線光が当っている背景領域となる照明エリアを除く画像を切り出す処理を行う。
【００５８】
図６（Ａ）は、赤外線照明器１２により監視領域を背光照明している場合に得られた画像３０であり、画像３０には、赤外線光が当っている照明エリア２６が含まれ、それ以外の領域は斜線部で示す真っ暗な非照明エリア２６ａとなっており、その中に、火源２０から煙による煙散乱光像２４ｂが立ち上っている。
【００５９】
そこで、図６（Ａ）の非照明エリア２６ａを切り出して図６（Ｂ）の切出しエリア３０ａとし、図６（Ａ）の照明エリア２６を除去して図６（Ｂ）の切捨てエリア３０ｂとした画像３０を生成する。
【００６０】
なお、稜線抽出部３８は、赤外線照明器１２を消灯させている監視領域が明るい場合には、図３に示した画像３０を処理対象とする。
【００６１】
稜線抽出部３８による稜線抽出処理は、例えば画像に対しエッジ強調処理の1つであるゾーベルフィルタ（Ｓｏｂｅｌ  Ｆｉｌｔｅｒ）を適用し、例えば図７の画像３０に示すように、煙稜線２４ｃを抽出する。なお、稜線抽出部３８による稜線抽出処理は、全フレーム画像を対象とせず、処理速度の関係で所定フレーム数を間引きしたフレーム毎に行うようにしても良い。
【００６２】
ゾーベルフィルタは、ある注目画素を中心とした上限左右の９つの画素値に対し、水平方向と垂直方向の２つの係数行列による所定の係数を乗算して総和を求めることで、画像中に存在するある領域の境界（エッジ）を検出可能とする微分処理であり、これを適用して、稜線抽出部３８は図７に示すように、火源２０から上方に立ち上がる煙の画像から煙稜線２４ｃを抽出する。
【００６３】
火災判断部４０は、稜線抽出部３８で抽出した稜線の中から煙による特徴的な煙稜線を検知して火災を判断するものであり、具体的には、直線成分抽出部４２、時系列変化検出部４４、及び火災検知部４６により火災を検知する。
【００６４】
直線成分抽出部４２は、稜線抽出部３８で抽出し稜線の画像３０を図７の破線で示すように、複数の領域、例えば６４×６４画素の領域に分割し、領域毎に例えばハフ変換（Ｈｏｕｇｈ変換）を施して稜線の直線成分を抽出する。ハフ変換は画像中の直線線分を抽出する方法として知られており、画像中のｎ個の点に対し、ρ―θ平面上ではｎ個の曲線が得られ、この内、ｍ個の曲線が１点で交わっていれば、このｍ個の点に対応する画像上のｍ個の点は同一直線上にあることとなり、これにより直線成分を抽出できる。
【００６５】
時系列変化検出部４４は、直線成分抽出部４２によるハフ変換で抽出した直線成分の傾きと発生頻度の時系列変化を求める。
【００６６】
図８は、所定フレーム数を間引いた間引きフレーム処理により図７の稜線を抽出した画像の時間的な変化を示した説明図であり、処理対象とする領域として、火源２０の直上の領域Ａ１、その上の領域Ａ２を例にとって示している。
【００６７】
図８（Ａ）の時刻にあっては、火源２０から煙稜線２４ｃが立ち上がって先端が領域Ａ１にあり、図８（Ｂ）の次の時刻では、煙稜線２４ｃが更に立ち上がって領域Ａ１及び領域Ａ２を通過している。
【００６８】
図９は図８の火源２０の直上となる領域Ａ１について間引きフレームの４周期分となる時刻ｔ１〜ｔ４で抽出した直線成分の時系列変化を示している。時刻ｔ１では、領域Ａ１を通過する煙稜線の直線成分は、領域下辺中央を原点とした二次元座標において、上方をθ１＝０°とすると発生頻度は２本となり、右斜め上方をθ２とすると発生頻度は２本となり、左斜め上方をθ３とすると発生頻度は１本となる。このような領域Ａ１を通過する煙稜線の直線成分は、立ち上がる煙の揺らぎに応じ時刻ｔ２〜ｔ４に示すように、その方向と発生頻度が変化する。
【００６９】
図１０は図９の領域Ａ１の直線成分の時系列変化を示した説明図であり、直線成分を傾きθと発生頻度の長さを持つベクトルを累積して示している。
【００７０】
図１０に示すように、時刻ｔ１で
ベクトルＢ１は（θ１，２）
ベクトルＢ２は（θ２，２）
ベクトルＢ２は（θ３，１）
となり、時刻ｔ２〜ｔ４では、その時系列変化に応じて累積的に増加していく。
【００７１】
図１１は図８の火源２０の直上となる領域Ａ１の上となる領域Ａ２について、間引きフレームの４周期分となる時刻ｔ１〜ｔ４で抽出した直線成分の時系列変化を示している。
【００７２】
領域Ａ２では立ち上がる煙の揺らぎが多くなっており、このため、時刻ｔ１では、領域Ａ２を通過する煙稜線の直線成分は、上方をθ１＝０°とすると発生頻度は１本となり、右斜め上方をθ２とすると発生頻度は１本となり、左斜め上方をθ３とすると発生頻度は２本となり、更にθ２より大きい右斜め上方をθ４とすると発生頻度は１本となり、θ３より大きい左斜め上方をθ５とすると発生頻度は１本となる。
【００７３】
このように領域Ａ２を通過する煙稜線の直線成分は、立ち上がる煙の揺らぎに応じ時刻ｔ２〜ｔ４に示すように、その方向と発生頻度が変化する。
【００７４】
図１２は図１１の領域Ａ２の直線成分の時系列変化を示した説明図であり、直線成分を傾きθと発生頻度の長さを持つベクトルを累積して示している。
【００７５】
図１２に示すように、時刻ｔ１で
ベクトルＢ１は（θ１，１）、
ベクトルＢ２は（θ２，１）
ベクトルＢ３は（θ３，２）、
ベクトルＢ４は（θ４，１）、
ベクトルＢ５は（θ５，１）
となり、時刻ｔ２〜ｔ４では、その時系列変化に応じて累積的に増加していく。
【００７６】
火災検知部４６は、時系列変化検出部４４により検知された各領域の直線成分の時系列変化の中から、煙による特徴的な時系列変化を検知して火災と判断する。
例えば、時系列変化検出部４４により、図１０及び図１２の時刻ｔ４に示す直線成分の傾きと発生頻度の累積で与えられる時系列変化が検知された場合、煙による特徴的な時系列変化は、傾きと発生頻度と異なる累積ベクトルが放射状に複数存在する所謂デイジーパターンとなっている。そこで、火災検知部３６は、煙による特徴的な時系列変化を示すデイジーパターンを検知して火災を判断する。
【００７７】
［監視領域が明るい場合の火災判断］
図１３は、赤外線照明器１２の背光照明を必要としない監視領域が明るい場合に監視カメラ１０で撮像した画像について、図５の稜線抽出部３８により抽出された画像３０であり、火源１８から立ち上る煙稜線２４ｃを抽出し、また背景の床と壁の境目や壁にある筋の稜線を抽出している。
【００７８】
このような監視領域が明るい場合の稜線を抽出した画像３０に対し、図５の火災判断部４０は、稜線抽出部３８で抽出した稜線の中から煙による特徴的な煙稜線を検知して火災を判断するものであり、具体的には、直線成分抽出部４２、時系列変化検出部４４、及び火災検知部４６により火災を検知する。
【００７９】
直線成分抽出部４２は、稜線抽出部３８で抽出した稜線の画像３０を、図１３の破線で示すように、複数の領域、例えば６４×６４画素の領域に分割し、領域毎に例えばハフ変換（Ｈｏｕｇｈ変換）を施して稜線の直線成分を抽出する。
【００８０】
時系列変化検出部４４は、直線成分抽出部４２によるハフ変換で抽出した直線成分の傾きと発生頻度の時系列変化を求める。
【００８１】
火災検知部４６は、時系列変化検出部４４により検知された各領域の直線成分の時系列変化の中から、煙による特徴的な時系列変化を検知して火災と判断する。火災検知部４６による火源２０の直上となる領域Ａ１，Ａ２の火災判断は、図９〜図１２に示したと同様であり、傾きと発生頻度と異なる累積ベクトルが放射状に複数存在する所謂デイジーパターンとなっており、火災検知部３６は、煙による特徴的な時系列変化を示すデイジーパターンを検知して火災を判断する。
【００８２】
一方、背景に稜線が存在する領域Ａ３に対する時系列変化検出部４４及び火災検知部４６による判断は次のようになる。
【００８３】
図１４は図１３の背景となる領域Ａ３について、間引きフレームの４周期分の時刻ｔ１〜ｔ４で抽出した直線成分の時系列変化を示している。領域Ａ３では背景に上下４本の直線成分が定常的に存在しており、このため、時刻ｔ１〜ｔ４の全てで、領域Ａ３に存在する直線成分は、上方をθ１＝０°とすると発生頻度は４本となる。
【００８４】
図１５は図１４の領域Ａ３の直線成分の時系列変化を示した説明図であり、直線成分を傾きθと発生頻度の長さを持つベクトルを累積して示している。図１５に示すように、時刻１でベクトルＢ１は（θ１，４）となり、時刻ｔ２〜ｔ４では、その時系列変化に応じて一定の発生頻度＝４により累積的に増加していく。
【００８５】
このように定常的に存在する背景稜線から抽出した直線成分の時系列変化は、傾きが一定で発生頻度も一定となる定常パターンであり、煙による特徴的な時系列変化を示すデイジーパターンから明確に区別することができ、火災判断の対象から除外する。
【００８６】
［火災判断動作］
図１６は図５の画像処理装置による火災検知動作を示したフローチャートである。
【００８７】
図１６において、画像処理装置１２は、ステップＳ１（以下「ステップ」は省略）で照明が必要か否か判別しており、例えばタイマ設定による所定の時間帯に入ったことを検知した場合、或いは照度センサの明るさ検出値が所定値以下に低下したことを検知した場合、照明が必要と判別し、Ｓ２に進んで赤外線照明器１２を点灯し、監視領域を赤外線光により背光照明してＳ５へ進む。
【００８８】
一方、Ｓ１で照明が必要ないと判別した場合はＳ３に進み、赤外線照明器１２が点灯中であればＳ４に進んで消灯し、またＳ３で赤外線照明器１２が点灯中でなければＳ４をスキップしてＳ５へ進む。
【００８９】
Ｓ５では、監視カメラ１０により動画画像として例えば３０フレーム／秒で撮像した監視領域の画像を取得してメモリに記憶し、Ｓ６で稜線検出部３８により非照明エリアの画像を切り出した後に、ゾーベルフィルタの適用により切り出した画像から稜線を抽出する。
【００９０】
続いてＳ７で直線成分抽出部４２により稜線の画像を複数の領域に分割し、Ｓ８で領域毎にハフ変換を施して稜線の直線成分を抽出した後、Ｓ９に進んで時系列変化検出部４４により、Ｓ６で抽出した直線成分の傾きと発生累積頻度による時系列変化を求め、Ｓ１０で火災検知部４６により直線成分の傾きと発生頻度の時系列変化の中から煙による特徴的な直線成分の傾きと発生累積頻度となる所定の時系列変化、例えばデイジーパターンを検知する火災判断を行い、その結果としてＳ１１で火災を検知した場合はＳ１２で火災検知信号を火災報知設備に出力して火災警報を出力させる。一方、Ｓ１１で火災を検知しなかった場合は、Ｓ１に戻り、同様な処理を繰り返す。
【００９１】
［監視カメラと赤外線照明器の他の配置］
図１７は監視領域における監視カメラと赤外線照明器の他の配置を示した説明図であり、図２（Ｂ）と同様に、図１の監視領域１８を対角線上の立面で示している。
【００９２】
図１７に示すように、本実施形態における赤外線照明器１２の配置は、図２（Ｂ）と同じであるが、監視カメラ１０については、その撮像光軸１０ａを、対角線方向に相対した赤外線照明器１２の直下の下部コーナ部のＱ点に向うように設定し、これに対応して撮像角αを小さくしている。
【００９３】
これにより照明エリア２６と撮像エリア２８の重複を低減し、監視カメラ１０で撮像した画像の中に占める照明エリアを少なくし、画像の中の暗い領域となる非照明エリアを広くすることができる。
【００９４】
図１８は監視領域における監視カメラと赤外線照明器の他の配置を示した説明図であり、図２（Ｂ）と同様に、図１の監視領域１８を対角線上の立面で示している。
【００９５】
図１８に示すように、本実施形態における赤外線照明器１２の配置は、図２（Ｂ）と同じであるが、監視カメラ１０については、その撮像光軸１０ａを、対角線方向に相対した赤外線照明器１２の直下のコーナ略中央のＱ点に向うように設定し、これに対応して撮像角αを小さくしている。
【００９６】
これにより照明エリア２６と撮像エリア２８を完全に分離して重複をなくし、監視カメラ１０で撮像した画像の中に照明エリアが入らないようし、画像全体が暗い領域となる非照明エリアとしている。
【００９７】
図１７又は図１８に示すように、照明エリア２６と撮像エリア２８の重複を低減したり、両者が重複しないようにした場合には、撮像角αを小さくしたことに伴い、監視領域１８の撮像対象とする監視空間が狭くなるが、監視空間は監視領域１８の上方を覆って配置されるため、下から立ち上る微弱な煙の筋を、背光照明による煙散乱光像として明確に撮像して火災を検知することを可能とする。
【００９８】
［光軸が交差しない監視カメラと赤外線照明器の配置］
図１９は照明光軸と撮像光軸を交差しないようにする監視カメラと赤外線照明器の配置を示した説明図であり、図１９（Ａ）は監視領域の平面を示し、図１９（Ｂ）は監視領域の側面を示している。
【００９９】
図１９に示すように、監視カメラ１０は監視領域の所定の上部コーナに配置し、水平面では斜め４５°方向に撮像光軸１０ａを設定し、垂直面では下向き斜め４５°方向に撮像光軸１０ａを設定し、床と壁の境目のＲ点に指向している。
【０１００】
赤外線照明器１２は、平面で監視カメラ１０の対角線方向の上部コーナに配置し、水平面では斜め４５°方向に照明光軸１２ａを設定し、垂直面では下向き斜め４５°方向に照明光軸１０ａを設定し、床と壁の境目のＱ点に指向している。
【０１０１】
更に、監視カメラ１０の撮像角αは９０°であり、また赤外線照明器１２の照明角βも９０°としている。
【０１０２】
図１及び図２の実施形態では、監視カメラ１０の撮像光軸１０ａと赤外線照明器１２の照明光軸１２ａを監視領域内の空間のＰ点で交差するように配置しているが、図１９の実施形態のように、監視カメラ１０の撮像光軸１０ａと赤外線照明器１２の照明光軸１２ａは必ずしも交差する必要はなく、この場合にも、監視カメラ１０から見て赤外線照明器１２からの赤外線光により監視領域を背光照明しており、監視領域に煙２４の筋が立ち上がった場合、これを赤外線光により背光照明して煙散乱光像を生成し、監視カメラ１０で撮像した場合に、暗い中に煙散乱光像が明るく浮かび上がった画像となり、この煙散乱光像から煙稜線を抽出し、その直線成分の時系列変化から確実に火災を検知することを可能とする。
【０１０３】
〔本発明の変形例〕
（監視カメラと赤外線照明器の配置）
上記の実施形態では、監視カメラと赤外線照明器を、監視領域の対角方向に位置するコーナ上部に対向して配置しているが、コーナ部を外れた位置に対向して配置しても良い。
【０１０４】
また、監視カメラに対し赤外線照明器を対向する位置ではなく、監視カメラの撮像方向に対し赤外線照明器の赤外線照明光が横方向から向うように配置してもよい。このように赤外線照明器からの赤外線光を、監視カメラの撮像方向に対し横方向から照射した場合にも、火源から立ち上る煙の筋に、横方向から赤外線光が当って散乱による煙散乱光像が生成され、対向方向からの照明に対し多少輝度は下がるが、煙稜線の抽出に十分な輝度の煙散乱光像を撮像することができる。
【０１０５】
（赤外線照明器）
上記の実施形態にあっては、夜間などの監視領域が暗くなっている場合に、赤外線照明器を連続点灯して監視領域を背光照明しているが、所定の監視周期毎に所定時間だけ赤外線照明器を点灯して監視カメラによる撮像を行って火災を検知する処理を繰り返しても良い。これにより赤外線照明器の消費電力を低減可能とする。
【０１０６】
（画像切り出し）
上記の実施形態では、赤外線照明器で照明した状態で、監視カメラにより撮像した画像について、非照明エリアを切り出して稜線抽出処理を行っているが、非照明エリアの切り出しを行わず、照明エリアと非照明エリアを含む画像を対象に稜線抽出処理を行っても良い。この場合には、照明領域となる背景部分についても稜線が抽出されるが、その後の背景稜線の直線成分の傾きと発生頻度の時系列変化から背景稜線の定常パターンが検知されて除外されることから、照明領域に煙の筋が立ちあがっても、背景稜線から煙稜線を区別して火災を検知することが可能である。
【０１０７】
（稜線抽出）
上記の実施形態にあっては、画像にゾーベルフィルタを適用して煙の稜線を抽出しているが、プレヴィットフィルタ(Ｐｒｅｗｉｔｔ  Ｆｉｌｔｅｒ)等のエッジ強調処理に用いた適宜のフィルタを適用しても良い。
【０１０８】
（直線成分抽出）
上記の実施形態にあっては、ハフ変換を適用して煙の稜線を抽出しているが、Ｌｉｎｅ  Ｓｅｇｍｅｎｔ  Ｄｅｔｅｃｔｏｒ(ＬＳＤ)等の画像から直線成分を抽出する処理方法を適用しても良い。
【０１０９】
（画像処理装置）
上記の実施形態にあっては、監視カメラと画像処理装置を分離配置して伝送路により接続しているが、両者を一体化した装置としても良い。
【０１１０】
また、本発明は上記の実施形態に限定されず、その目的と利点を損なうことのない適宜の変形を含み、更に上記の実施形態に示した数値による限定は受けない。
【符号の説明】
【０１１１】
１０：監視カメラ
１０ａ：撮像光軸
１２：赤外線照明器
１２ａ：照明光軸
１４：画像処理装置
１６：火災報知設備
１８：監視領域
２０：火源
２４：煙
２４ａ：煙モデル
２４ｂ：煙散乱光像
２４ｃ：煙稜線
２６：照明エリア
２８：撮像エリア
３０：画像
３２：制御部
３４：照明駆動部
３６：伝送部
３８：稜線抽出部
４０：火災判断部
４２：直線成分抽出部
４４：時系列変化検出部
４６：火災検知部
【図１】
2015052824.tif 000003
【図２】
2015052824.tif 000004
【図３】
2015052824.tif 000005
【図４】
2015052824.tif 000006
【図５】
2015052824.tif 000007
【図６】
2015052824.tif 000008
【図７】
2015052824.tif 000009
【図８】
2015052824.tif 000010
【図９】
2015052824.tif 000011
【図１０】
2015052824.tif 000012
【図１１】
2015052824.tif 000013
【図１２】
2015052824.tif 000014
【図１３】
2015052824.tif 000015
【図１４】
2015052824.tif 000016
【図１５】
2015052824.tif 000017
【図１６】
2015052824.tif 000018
【図１７】
2015052824.tif 000019
【図１８】
2015052824.tif 000020
【図１９】
2015052824.tif 000021